(57)【要約】【課題】就寝者の頭側及び脚側の空気調和を行う空調装置付きベッドにおいて、装置全体としてのコストダウンを図りつつ、就寝者の脚側の足熱状態を維持できるようにする。【解決手段】カーテン（46）が自重で撓んだ状態でその先端部が係止部（50）に係止されて、カーテン（46）が撓んでいる位置で、就寝者の頭側と脚側とに就寝空間（14）が区画され、就寝空間（14）における就寝者の脚側に、脚側空調手段（80）から供給された調和空気を滞留させる滞留空間（15）が形成される。【選択図】図５
2008073413.tif 000002
【特許請求の範囲】
【請求項１】
ベッド本体（10）と、
前記ベッド本体（10）の上方を覆って就寝空間（14）を形成するカーテン（46）と、
前記ベッド本体（10）における就寝者の頭側の上方に配置され前記カーテン（46）を保持するカーテン保持部（40）と、
前記ベッド本体（10）における前記就寝者の脚側の端部に配置され、該ベッド本体（10）上面よりも高い位置で前記カーテン（46）の先端部を係止するように構成された係止部（50）と、
前記ベッド本体（10）に収納され、前記就寝者の脚側の空気調和を行う脚側空調手段（80）とを備え、
前記カーテン（46）を自重で撓ませた状態で該カーテン（46）の先端部を前記係止部（50）に係止させ、前記就寝空間（14）における前記就寝者の脚側に、前記脚側空調手段（80）から供給された調和空気を滞留させる滞留空間（15）を形成したことを特徴とする空調装置付きベッド。
【請求項２】
請求項１において、
前記係止部（50）は、係止された前記カーテン（46）の先端部の位置ずれを防止する位置ずれ防止手段（44）を備えていることを特徴とする空調装置付きベッド。
【請求項３】
請求項１において、
前記カーテン保持部（40）は、前記ベッド本体（10）における前記就寝者の頭側の端部から上方に延びる支持部（41）と、該支持部（41）の上端部から該就寝者の脚側に張り出し且つ前記カーテン（46）を保持する天蓋部（42）とを備え、
前記天蓋部（42）は、前記支持部（41）に対して折り畳み可能に構成されていることを特徴とする空調装置付きベッド。
【発明の詳細な説明】
【技術分野】
【０００１】
本発明は、空調装置付きベッドに関し、特に就寝空間内における空調対策に係るものである。
【背景技術】
【０００２】
従来より、就寝者の頭側及び脚側の空気調和を個別に行い、人体の部位別の快適性に適した「頭寒足熱」の温度分布を形成する空調装置付きベッドとして、いわゆる睡眠カプセルが知られている（例えば、特許文献１参照）。
【０００３】
特許文献１の睡眠カプセルは、カプセル本体と、カプセル本体の上方を覆い睡眠室を形成する覆い部材と、睡眠室の頭側を空気調和する頭側空調手段と、睡眠室の脚側を空気調和する脚側空調手段とを備えている。
【０００４】
前記覆い部材は、幌式に構成され、カプセル本体の長手方向の中央部に回動自在に取り付けられ、覆い部材の頭側がカプセル本体の頭側に固定され、覆い部材の脚側をカプセル本体の頭側と脚側との間で回動させて折り畳み状態と展開状態とになって睡眠室を開閉するように構成されている。
【０００５】
また、前記覆い部材には、覆い部材の閉状態において上端から下端に向かって頭側に傾斜するように形成され、調和空気の気流空間が睡眠室の脚側に形成されるように空気の流れを調整する気流制御シートが設けられている。
【０００６】
このようにして、調和空気が温風である場合に、就寝者の脚部が「足熱」の温度領域に維持され、睡眠カプセル内では、就寝者の部位別の快適性に適した「頭寒足熱」の温度分布が形成される。
【特許文献１】特開２００５−１５６０３１号公報
【発明の開示】
【発明が解決しようとする課題】
【０００７】
しかしながら、前記特許文献１の睡眠カプセルは、睡眠室を形成する覆い部材の幌構造が機構的に複雑であり、イニシャルコストが高くなるという問題点があった。
【０００８】
本発明は、かかる点に鑑みてなされたものであり、その目的は、就寝者の頭側及び脚側の空気調和を行う空調装置付きベッドにおいて、装置全体としてのコストダウンを図りつつ、就寝者の脚側の足熱状態を維持できるようにすることにある。
【課題を解決するための手段】
【０００９】
第１の発明の空調装置付きベッドは、ベッド本体（10）と、
前記ベッド本体（10）の上方を覆って就寝空間（14）を形成するカーテン（46）と、
前記ベッド本体（10）における就寝者の頭側の上方に配置され前記カーテン（46）を保持するカーテン保持部（40）と、
前記ベッド本体（10）における前記就寝者の脚側の端部に配置され、該ベッド本体（10）上面よりも高い位置で前記カーテン（46）の先端部を係止するように構成された係止部（50）と、
前記ベッド本体（10）に収納され、前記就寝者の脚側の空気調和を行う脚側空調手段（80）とを備え、
前記カーテン（46）を自重で撓ませた状態で該カーテン（46）の先端部を前記係止部（50）に係止させ、前記就寝空間（14）における前記就寝者の脚側に、前記脚側空調手段（80）から供給された調和空気を滞留させる滞留空間（15）を形成したことを特徴とするものである。
【００１０】
第１の発明では、カーテン（46）が自重で撓んだ状態でその先端部が係止部（50）に係止されて、カーテン（46）が撓んでいる位置で、就寝者の頭側と脚側とに就寝空間（14）が区画され、就寝空間（14）における就寝者の脚側に、脚側空調手段（80）から供給された調和空気を滞留させる滞留空間（15）が形成される。
【００１１】
このため、脚側空調手段（80）から供給された調和空気を滞留空間（15）に滞留させることができ、就寝者の脚側の足熱状態を維持する上で有利となる。すなわち、滞留空間（15）を形成していない場合には、脚側空調手段（80）から供給された調和空気が就寝空間（14）全体に広がってしまい、「足熱」の効果が得られないおそれがあったが、本発明では、このような問題を解消することができる。これにより、就寝空間（14）の滞留空間（15）を快適な空気調和状態に保つことができるので、就寝者の就寝時における快適性が向上する。
【００１２】
さらに、カーテン（46）を自重で撓ませて滞留空間（15）を形成するという非常にシンプルな装置構成であることから、装置全体としてのコストダウンを図る上で有利となる。
【００１３】
第２の発明は、前記係止部（50）は、係止された前記カーテン（46）の先端部の位置ずれを防止する位置ずれ防止手段（44）を備えていることを特徴とするものである。
【００１４】
第２の発明では、係止部（50）には、係止されたカーテン（46）の先端部の位置ずれを防止する位置ずれ防止手段（44）が設けられる。このため、カーテン（46）の先端部を摩擦力だけで係止部（50）に係止する場合に比べて、カーテン（46）の先端部の位置ずれを確実に防止することができる。すなわち、カーテン（46）の先端部の位置ずれにより滞留空間（15）の容積が変動することを抑制でき、安定した足熱状態を維持する上で有利となる。ここで、位置ずれ防止手段（44）として、例えば、面ファスナーやボタン等を用いるようにすれば、シンプルな機構で位置ずれ防止手段（44）を構成することができ、コスト削減に有利となる。
【００１５】
第３の発明は、前記カーテン保持部（40）は、前記ベッド本体（10）における前記就寝者の頭側の端部から上方に延びる支持部（41）と、該支持部（41）の上端部から該就寝者の脚側に張り出し且つ前記カーテン（46）を保持する天蓋部（42）とを備え、
前記天蓋部（42）は、前記支持部（41）に対して折り畳み可能に構成されていることを特徴とするものである。
【００１６】
第３の発明では、支持部（41）の上端部から就寝者の脚側に張り出し且つカーテン（46）を保持する天蓋部（42）が、支持部（41）に対して折り畳み可能に構成される。このため、空調装置付きベッド（1）の搬送時に天蓋部（42）を支持部（41）に対して折り畳むようにすれば、天蓋部（42）が邪魔になることがなく、搬送途中で天蓋部（42）が寝室内の柱や壁等に衝突して破損することを防止する上で有利となる。さらに、設置現場における天蓋部（42）の組立作業が容易となる。
【発明の効果】
【００１７】
本発明によれば、脚側空調手段（80）から供給された調和空気を滞留空間（15）に滞留させることができ、就寝者の脚側の足熱状態を維持する上で有利となる。すなわち、滞留空間（15）を形成していない場合には、脚側空調手段（80）から供給された調和空気が就寝空間（14）全体に広がってしまい、「足熱」の効果が得られないおそれがあったが、本発明では、このような問題を解消することができる。これにより、就寝空間（14）の滞留空間（15）を快適な空気調和状態に保つことができるので、就寝者の就寝時における快適性が向上する。
【００１８】
さらに、カーテン（46）を自重で撓ませて滞留空間（15）を形成するという非常にシンプルな装置構成であることから、装置全体としてのコストダウンを図る上で有利となる。
【００１９】
また、前記第２の発明によれば、カーテン（46）の先端部を摩擦力だけで係止部（50）に係止する場合に比べて、カーテン（46）の先端部の位置ずれを確実に防止することができる。すなわち、カーテン（46）の先端部の位置ずれにより滞留空間（15）の容積が変動することを抑制でき、安定した足熱状態を維持する上で有利となる。ここで、位置ずれ防止手段（44）として、例えば、面ファスナーやボタン等を用いるようにすれば、シンプルな機構で位置ずれ防止手段（44）を構成することができ、コスト削減に有利となる。
【００２０】
また、前記第３の発明によれば、空調装置付きベッド（1）の搬送時に天蓋部（42）を支持部（41）に対して折り畳むようにすれば、天蓋部（42）が邪魔になることがなく、搬送途中で天蓋部（42）が寝室内の柱や壁等に衝突して破損することを防止する上で有利となる。さらに、設置現場における天蓋部（42）の組立作業が容易となる。
【発明を実施するための最良の形態】
【００２１】
以下、本発明の実施形態を図面に基づいて説明する。なお、以下の好ましい実施形態の説明は、本質的に例示に過ぎず、本発明、その適用物或いはその用途を制限することを意図するものではない。
【００２２】
＜全体構成＞
図１は本発明の実施形態に係る空調装置付きベッドを一部省略して示す斜視図、図２は空調装置付きベッドのカーテンを閉めた状態を示す斜視図である。
【００２３】
図１及び図２に示すように、本実施形態の空調装置付きベッド（1）は、就寝者の頭側及び脚側の空気調和を行うベッドであって、ベッド本体（10）と、カーテン保持部（40）と、空調機としての頭側空調ユニット（60）及び脚側空調ユニット（80）と、頭側空調ユニット（60）及び脚側空調ユニット（80）の運転制御を行うコントローラ（90）とを備えており、カーテン保持部（40）のカーテン（46）により就寝空間（14）が形成されている。
【００２４】
＜ベッド本体の構成＞
前記ベッド本体（10）は、図１に示すように、寝台部（11）と、該寝台部（11）の頭側端部及び脚側端部に接続されたヘッドボード（20）及びフットボード（50）を備えている。
【００２５】
前記寝台部（11）は、扁平な直方体の台状に形成されている。この寝台部（11）の上には、就寝者が横たわるためのマットレス（13）が載せられている。
【００２６】
前記ヘッドボード（20）は、図３に示すように、前面板（21）と背面板（22）と上面板（25）と下面板（24）と２枚の側面板（23）とを有し、扁平な直方体状の箱形に形成されている。ヘッドボード（20）は、寝台部（11）と概ね同じ幅長さを有し、寝台部（11）の高さより十分高い。なお、ヘッドボード（20）については、寝台部（11）の頭側を前方（前側）とする。
【００２７】
前記ヘッドボード（20）の前面板（21）には、上半部中央に第１通風グリル（21a）が、下側両端部に第２通風グリル（21b，21b）がそれぞれ設けられている。ヘッドボード（20）の上面板（25）には、両端部に第３通風グリル（25a，25a）が設けられている。第１通風グリル（21a）は、後述する頭側空調ユニット（60）の利用空気が就寝者の頭側に給排気される通風口を構成している。第２通風グリル（21b）は、頭側空調ユニット（60）の排熱空気が吸い込まれる通風口を構成している。第３通風グリル（25a）は、頭側空調ユニット（60）の排熱空気が吹き出される通風口を構成している。また、本実施形態のベッド本体（10）では、図１に示すように、寝台部（11）の両側面に設けられた寝台部吸込口（12）よりマットレス（13）の下方空間に外部空気が取り込まれ、その空気が排熱空気として第２通風グリル（21b）へ吸い込まれるようになっている。
【００２８】
前記ヘッドボード（20）には、ダクト部材（30）が収納されている。ダクト部材（30）は、概ね第１通風グリル（21a）の後方に位置し、後述する頭側空調ユニット（60）に載置されている。
【００２９】
図３及び図８に示すように、前記ダクト部材（30）は、上側板（31）と下側板（33）と背板（35）と２枚の側板（34）とを有し、前面側が開口した扁平な直方体状に形成されている。また、ダクト部材（30）は、内部空間を上下方向に仕切る仕切板（32）が設けられている。
【００３０】
前記ダクト部材（30）の仕切板（32）の中央部には、横長の長方形状に開口した利用側吹出口（32a）が形成されている。ダクト部材（30）の下側板（33）の両端部には、略正方形状に開口した利用側吸込口（33b，33b）が形成されている。上側板（31）の下面には、利用側吹出口（32a）に対応した位置に、風向板（36）が取り付けられている。 また、下側板（33）の中央部には、長方形状に開口した吹出用連通口（33a）が形成されている。そして、仕切板（32）の下側の空間には、吹出用連通口（33a）から流入した空気が利用側吹出口（32a）へ流れるように該下側空間を仕切る連通板（37）が形成されている。
【００３１】
このダクト部材（30）では、就寝空間（14）の頭側の空気（利用空気）がヘッドボード（20）の第１通風グリル（21a）から流入して利用側吸込口（33b）より流出するようになっている。一方、ダクト部材（30）では、吹出用連通口（33a）から流入した空気（利用空気）が利用側吹出口（32a）を通ってヘッドボード（20）の第１通風グリル（21a）より就寝空間（14）の頭側へ流出するようになっている。
【００３２】
図４に示すように、前記フットボード（50）は、前面板（51）と背面板（52）と上面板（55）と下面板（54）と２枚の側面板（53）とを有し、扁平な直方体状の箱形に形成されている。このフットボード（50）は、ベッド本体（10）の寝台部（11）と概ね同じ幅長さを有し、且つ寝台部（11）の高さより十分高くなっている。
【００３３】
前記フットボード（50）の前面板（51）には、上半部中央に通風グリル（51a）が設けられている。この通風グリル（51a）は、寝台部（11）のマットレス（13）より高い位置に配置されている。そして、通風グリル（51a）は、後述する脚側空調ユニット（80）の利用空気が就寝者の脚側に給排気される通風口を構成している。なお、フットボード（50）については、寝台部（11）の脚側を前方（前側）とする。
【００３４】
また、前記フットボード（50）は、カーテン（46）の先端部を係止する係止部として機能するものであり、図５に示すように、カーテン保持部（40）のカーテン（46）の先端部をフットボード（50）に引っ掛けて係止させることで、カーテン（46）を寝台部（11）上面よりも高い位置で保持でき、就寝者の脚部周辺に隙間を設けることができる。
【００３５】
ここで、前記カーテン（46）を、カーテン保持部（40）とフットボード（50）との間で自重により撓ませた状態としている。このようにすれば、就寝空間（14）における就寝者の脚側、すなわち、カーテン（46）が撓んでいる位置で、就寝者の頭側と脚側とに就寝空間（14）が区画され、就寝空間（14）における就寝者の脚側に、脚側空調ユニット（80）から供給された調和空気を滞留させる滞留空間（15）が形成される。
【００３６】
したがって、脚側空調ユニット（80）から供給された調和空気を滞留空間（15）に滞留させることができ、就寝者の脚側の足熱状態を維持する上で有利となる。すなわち、滞留空間（15）を形成していない場合には、脚側空調手段（80）から供給された調和空気が就寝空間（14）全体に広がってしまい、「足熱」の効果が得られないおそれがあったが、本発明では、このような問題を解消することができる。これにより、就寝空間（14）の滞留空間（15）を快適な空気調和状態に保つことができるので、就寝者の就寝時における快適性が向上する。
【００３７】
さらに、カーテン（46）を自重で撓ませて滞留空間（15）を形成するという非常にシンプルな装置構成で「足熱」の効果が得られることから、装置全体としてのコストダウンを図る上で有利となる。
【００３８】
また、前記フットボード（50）の背面板（52）には、係止されたカーテン（46）の先端部の位置ずれを防止するための位置ずれ防止部材（44，44）が上下方向に間隔をあけて２箇所に設けられている。具体的に、位置ずれ防止部材（44，44）は、面ファスナーやボタン等で構成することができ、カーテン（46）の先端部をフットボード（50）に引っ掛けた後、面ファスナーやボタン等で保持するようにしている。このように、フットボード（50）に位置ずれ防止部材（44）を設けたから、カーテン（46）の先端部を摩擦力だけでフットボード（50）に係止する場合に比べて、カーテン（46）の先端部の位置ずれをより確実に防止することができる。すなわち、カーテン（46）の先端部の位置ずれにより滞留空間（15）の容積が変動することを抑制でき、安定した足熱状態を維持する上で有利となる。
【００３９】
＜カーテン保持部の構成＞
前記カーテン保持部（40）は、図２に示すように、支持部としての２本の支柱（41）と、天蓋部としての天井枠（42）とを備え、天井枠（42）にカーテン（46）が掛けられて保持されている。
【００４０】
前記各支柱（41）は、板状に形成されている。そして、この各支柱（41）は、ヘッドボード（20）の両側面板（23）に取り付けられ、そのヘッドボード（20）よりも鉛直上方に延びている。
【００４１】
前記天井枠（42）は、４辺が板材で構成され、平面視矩形枠になっている。そして、天井枠（42）は、支柱（41）から前方（寝台部（11）の頭側）へ向かって水平に張り出すように該支柱（41）の上端部に固定されている。つまり、天井枠（42）は、就寝者の頭部上方に位置している。また、天井枠（42）の先端側両端部と各支柱（41）との間には、補強材として筋交い（43）が取り外し自在に設けられている。
【００４２】
前記天井枠（42）は、支柱（41）に対して折り畳み可能に構成されている。具体的に、図５に示すように、支柱（41）と天井枠（42）とは、蝶番（45）を介して取り付けられている。そこで、筋交い（43）を取り外し、天井枠（42）を支柱（41）側に回動させることで、天井枠（42）が支柱（41）に対して折り畳むことができるようになっている（図６参照）。
【００４３】
このように、支柱（41）から前方へ向かって水平に張り出している天井枠（42）を折り畳んで収納することで、例えば、空調装置付きベッド（1）を搬送する途中で天井枠（42）が邪魔になることがなく、搬送途中で天井枠（42）が寝室内の柱や壁等に衝突して破損することを防止する上で有利となる。さらに、設置現場における天井枠（42）の組立作業が容易となる。
【００４４】
前記カーテン（46）は、布材からなり、寝台部（11）の両側面及びフットボード（50）の大半を覆うように、天井枠（42）に掛けられている。これにより、寝台部（11）の上方が覆われて就寝空間（14）が形成される。つまり、カーテン保持部（40）は、寝台部（11）の上方を覆う覆い部材を構成している。
【００４５】
＜頭側空調ユニット＞
前記頭側空調ユニット （60）は、ベッド本体（10）のヘッドボード（20）内に収納され、就寝者の頭側の空気調和を行うものであり、頭側空調手段を構成している。頭側空調ユニット（60）は、図７及び図８に示すように、利用側ケーシング（61）と排熱側ケーシング（65）を備えている。
【００４６】
前記利用側ケーシング（61）は、ヘッドボード（20）におけるダクト部材（30）の下方に位置し、該ダクト部材（30）の下側板（33）に接して配置されている。この利用側ケーシング（61）は、横幅長さがダクト部材（30）と概ね同じ矩形体に形成されている。
【００４７】
前記排熱側ケーシング（65）は、ヘッドボード（20）におけるダクト部材（30）及び利用側ケーシング（61）の両側方に隣接して配置されている。排熱側ケーシング（65）は、ダクト部材（30）及び利用側ケーシング（61）の高さ方向に亘って延びる縦長の矩形体に形成されている。
【００４８】
前記利用側ケーシング（61）の上面には、略中央にダクト部材（30）の吹出用連通口（33a）に対応する第１開口（62）が、両端部にダクト部材（30）の利用側吸込口（33b）に対応する第２開口（63）がそれぞれ形成されている。この利用側ケーシング（61）において、利用空気が第２開口（63）から第１開口（62）へ流れる経路が利用側通路（6a）になっている。一方、排熱側ケーシング（65）の前面の下端部には、ヘッドボード（20）の第２通風グリル（21b）に対応する排熱側吸込口（66）が形成されている。また、排熱側ケーシング（65）の上面には、ヘッドボード（20）の第３通風グリル（25a）に対応する排熱側吹出口（67）が形成されている。この排熱側ケーシング（65）において、排熱空気が排熱側吸込口（66）から排熱側吹出口（67）へ流れる経路、即ち鉛直方向に直線的に延びる経路が排熱側通路（6b）になっている。
【００４９】
前記利用側ケーシング（61）内には、利用側ファン（75）が１つ設けられている。この利用側ファン（75）は、就寝空間（14）の頭側の利用空気をダクト部材（30）を介して第２開口（63）より利用側ケーシング（61）内へ取り込む一方、利用側ケーシング（61）内の利用空気を第１開口（62）からダクト部材（30）を介して就寝空間（14）の頭側へ吹き出すように構成されている。
【００５０】
前記頭側空調ユニット（60）には、２つの熱源ユニット（70）が設けられている。各熱源ユニット（70）は、熱源（71）と利用側熱交換部（72）と排熱側熱交換部（73）から構成されている。
【００５１】
前記熱源（71）は、板状に形成され、いわゆるペルチェ素子により構成されている。この熱源（71）は、互いに対向する冷却面と加熱面とを有している。利用側熱交換部（72）及び排熱側熱交換部（73）は、図示しないが、熱源（71）を挟み込む台座と、該台座から突出した複数のフィン群を備えている。そして、利用側熱交換部（72）が熱源（71）の冷却面に設けられ、排熱側熱交換部（73）が熱源（71）の加熱面に設けられている。
【００５２】
前記熱源ユニット（70）は、利用側通路（6a）及び排熱側通路（6b）に跨って配置されている。具体的に、熱源ユニット（70）の利用側熱交換部（72）は、利用側通路（6a）における最上流側（第２開口（63）の下方）に位置し、排熱側熱交換部（73）は、排熱側通路（6b）におけるやや上流側（排熱側吸込口（66）の上方）に位置している。つまり、利用側ケーシング（61）において第２開口（63）より流入した空気が利用側熱交換部（72）で冷却され、排熱側ケーシング（65）において排熱側吸込口（66）より流入した空気が排熱側熱交換部（73）で加熱される。
【００５３】
前記排熱側ケーシング（65）内には、排熱側ファン（77）が設けられている。この排熱側ファン（77）は、排熱側通路（6b）における排熱側熱交換部（73）の下流（上方）に配置されている。排熱側ファン（77）は、排熱側吸込口（66）より排熱空気を排熱側ケーシング（65）内へ取り込み、排熱側吹出口（67）から吹き出すように構成されている。つまり、排熱側ファン（77）は、排熱空気を下方から吸い込んで上方へ吹き出すようになっている。これにより、排熱側熱交換部（73）で加熱された暖気は上昇しようとするため、排熱側ファン（77）の上方への送風力（仕事量）が少なくて済む。したがって、排熱側ファン（77）の省エネを図ることができる。
【００５４】
前記利用側ケーシング（61）内には、ドレン回収部（76）が設けられている。このドレン回収部（76）は、熱源ユニット（70）の利用側熱交換部（72）の下方に配置され、該利用側熱交換部（72）で発生したドレンを回収するものである。また、排熱側ケーシング（65）において、側面と排熱側熱交換部（73）との間には断熱材（78）が取り付けられている。この断熱材（78）は、排熱側熱交換部（73）の熱が頭側空調ユニット（60）の外部へ伝わらないようにするためのものである。
【００５５】
＜脚側空調ユニット＞
前記脚側空調ユニット（80）は、図４、図９及び図１０に示すように、フットボード（50）内に収納され、就寝者の脚側の空気調和を行うものであり、脚側空調手段を構成している。脚側空調ユニット（80）は、フットボード（50）よりやや小さい扁平な直方体状に形成されたケーシング（80a）を備えている。
【００５６】
前記ケーシング（80a）の前面には、上部中央に吸込口（81）が形成され、該吸込口（81）の両側方に吹出口（82）が形成されている。この吸込口（81）と２つの吹出口（82）は、フットボード（50）の通風グリル（51a）の後方に位置している。
【００５７】
前記ケーシング（80a）内には、脚側ファン（85）と電熱ヒータ（86）が設けられている。脚側ファン（85）は、吸込口（81）の後方に配置され、吸込口（81）より吸い込んだ空気（利用空気）をケーシング（80a）の下面に向かって吹き出すように構成されている。電熱ヒータ（86）は、脚側ファン（85）とケーシング（80a）の下面との間に、且つ、概ねケーシング（80a）の幅方向（図１０における左右方向）に亘って配置されている。電熱ヒータ（86）は、ケーシング（80a）内に取り込んだ利用空気の加熱手段を構成している。
【００５８】
前記脚側空調ユニット（80）では、脚側ファン（85）により、吸込口（81）から流入した利用空気がケーシング（80a）の下面に衝突した後、吹出口（82）へ流れて流出するようになっている。その際、利用空気が電熱ヒータ（86）によって加熱され、その暖気が就寝者の脚側に供給される。
【００５９】
また、前記空調装置付きベッド（1）は、コントローラ（90）を備えている（図１参照）。コントローラ（90）は、頭側空調ユニット（60）及び脚側空調ユニット（80）の運転制御を行うものであり、例えばヘッドボード（20）の上部に収納されている。このコントローラ（90）は、就寝空間（14）における脚側の温度が頭側の温度より高くなるように制御している。例えば、就寝空間（14）の頭側の温度が２６℃に、脚側の温度が３０℃に維持されるように、熱源（71）及び電熱ヒータ（86）に流れる電流値や各ファン（75,77,85）の風量が制御される。
【００６０】
＜運転動作＞
次に、前記空調装置付きベッド（1）の空調動作について説明する。まず、就寝者が、カーテン保持部（40）のカーテン（46）を開けて、前記寝台部（11）の上の就寝空間（14）に入り、カーテン（46）を閉めて就寝を開始する。
【００６１】
前記コントローラ（90）は、就寝者の就寝の開始を検知して自動的に、又は就寝者の手動により空調装置の制御を開始する。これにより、頭側空調ユニット（60）では、熱源（71）の通電及び各ファン（75,77）の駆動が開始され、脚側空調ユニット（80）では、脚側ファン（85）及び電熱ヒータ（86）の通電が開始される。そして、電熱ヒータ（86）及び熱源（71）に流れる電流値や各ファン（75,77,85）の回転数が適宜制御される。
【００６２】
就寝空間（14）において、就寝者の頭側では、図３、図７及び図８に示すように、ヘッドボード（20）の第１通風グリル（21a）からダクト部材（30）へ就寝空間（14）の頭側の空気（RA1）が利用空気として吸い込まれる。吸い込まれた空気（RA1）は、ダクト部材（30）の利用側吸込口（33b）から頭側空調ユニット（60）の利用側通路（6a）へ導入され、熱源ユニット（70）の利用側熱交換部（72）で冷却される。冷却された調和空気（SA1）は、利用側ファン（75）を通って第１開口（62）からダクト部材（30）へ導入される。ダクト部材（30）へ導入された調和空気（SA1）は、利用側吹出口（32a）を通って第１通風グリル（21a）から前方へ吹き出す。これにより、就寝空間（14）の頭側が所定温度に維持される。そして、吹き出した調和空気（SA1）は、下方へ流れて再び第１通風グリル（21a）へ吸い込まれる。
【００６３】
また、図１に示すように、就寝空間（14）の外部の空気（OA）が寝台部吸込口（12）よりマットレス（13）の下方空間ヘ取り込まれる。この空気（OA）は、ヘッドボード（20）の第２通風グリル（21b）から頭側空調ユニット（60）の排熱側通路（6b）へ排熱空気として吸い込まれる（図８参照）。吸い込まれた空気（OA）は、熱源ユニット（70）の排熱側熱交換部（73）で加熱される。加熱された空気（OA）は、排熱側ファン（77）を通って排熱側吹出口（67）から流出し、ヘッドボード（20）の第３通風グリル（25a）から上方へ吹き出す。
【００６４】
この頭側の空調動作では、排熱側熱交換部（73）で加熱された空気（OA）は排熱側吹出口（67）へ向かって上昇しようとするので、排熱側ファン（77）の必要送風力を低減できる。これにより、排熱側ファン（77）の使用エネルギーを低減でき、省エネな空調装置付きベッド（1）を提供できる。また、就寝空間（14）の背面側が仕切部材（47）によって遮断されているため、第３通風グリル（25a）から吹き出した暖気である空気（OA）が就寝空間（14）の頭側に侵入するのを防止することができる。したがって、就寝空間（14）の頭側の温度制御を確実に行うことができる。
【００６５】
一方、就寝空間（14）において、就寝者の脚側では、図４及び図１０に示すように、フットボード（50）の通風グリル（51a）の中央から脚側空調ユニット（80）へ就寝空間（14）の脚側の空気（RA2）が利用空気として吸い込まれる。吸い込まれた空気（RA2）は、脚側ファン（85）を通り、電熱ヒータ（86）によって加熱される。加熱された調和空気（SA2）は、吹出口（82）を通って通風グリル（51a）の両端部から前方へ吹き出す。これにより、就寝空間（14）の脚側が所定温度に維持される。そして、吹き出した調和空気（SA2）は、内側へ（寝台部（11）の幅方向における中央へ）流れて再び通風グリル（51a）の中央から吸い込まれる。
【００６６】
この脚側の空調動作では、調和空気（SA2）がフットボード（50）の幅方向端部から吹き出すので、調和空気（SA2）が就寝者に直接当たらない。これにより、就寝者のドラフト感を低減することができる。その結果、快適な空調空間を構成することができる。
【００６７】
＜変形例＞
本実施形態では、係止部としてベッド本体（10）のマットレス（13）上面よりも高い位置にフットボード（50）を設けるようにしたが、この形態に限定するものではなく、図１１及び図１２に示すように、就寝者の脚側に、係止部としての逆Ｕ字状のカーテン保持棒（56）を設け、カーテン（46）を自重で撓ませた状態で、カーテン保持棒（56）にカーテン（46）の先端部を係止させることで、滞留空間（15）を形成するようにしても構わない。
【００６８】
具体的に、ベッド本体（10）の寝台部（11）には、就寝者が横たわるためのマットレス（13）が載せられている。このマットレス（13）は、寝台部（11）の上面の面積よりも一回り小さく形成され、寝台部（11）の上面には、マットレス（13）より露出した両側スペース（17）及び脚側スペース（16）が形成されている。前記両側スペース（17）には、就寝者の脚側に対応する位置に脚側吹出口（58）が形成されている。一方、前記脚側スペース（16）には、中央部に脚側吸込口（57）が形成されている。また、前記脚側スペース（16）には、カーテン保持棒（56）が設けられている。該カーテン保持棒（56）は、寝台部（11）の上面と所定間隔を保って寝台部（11）の幅方向に延び、両側が下方に屈曲して寝台部（11）の脚側スペース（16）の両側に固定されている。該カーテン保持棒（56）は、カーテン（46）が脚側スペース（16）の脚側吸込口（57）を塞いだりしないようにカーテン（46）を保持するとともに、脚側空調ユニット（80）から供給される調和空気を滞留させる滞留空間（15）を形成している。
【００６９】
このように、本変形例においても、脚側空調手段（80）から供給された調和空気を滞留空間（15）に滞留させることができ、就寝者の脚側の足熱状態を維持する上で有利となり、就寝空間（14）の滞留空間（15）を快適な空気調和状態に保つことができるので、就寝者の就寝時における快適性が向上する。
【００７０】
＜その他の実施形態＞
前記実施形態については、以下のような構成としてもよい。
【００７１】
例えば、本実施形態では、前記ヘッドボード（20）は、ダクト部材（30）をボード本体（20a）と別体に構成したが、ダクト部材（30）をボード本体（20a）と一体形成してもよい。また、前記ダクト部材（30）に利用側吹出口（32a）及び利用側吸込口（33b）を形成したが、ボード本体（20a）の前面板（21）に利用側吹出口（32a）及び利用側吸込口（33b）を形成してもよい。また、前記寝台部（11）では、両側スペース（17）に脚側吹出口（58）を形成したが、脚側スペース（16）の両側部に脚側吹出口（58）を形成してもよい。つまり、２つの脚側吹出口（57）の間に脚側吸込口（57）が位置するようにしてもよい。
【００７２】
また、前記コントローラ（90）は、電熱ヒータ（86）及び熱源（71）に流れる電流値や各ファン（75,77,85）の回転数を制御したが、頭側空調ユニット（60）及び脚側空調ユニット（80）の何れか一方の空調系統のみを制御するようにしてもよい。
【００７３】
また、前記実施形態は、就寝者の頭側に直接調和空気を供給して空気調和を行っていたが、この形態に限定するものではなく、例えば、ヘッドボード（20）に輻射パネルを設けて頭側空調ユニット（60）の熱源（71）から輻射により頭側の空気調和を行ってもよい。この場合、熱源（71）をヘッドボード（20）の上方（就寝者の頭部付近）に配置すれば、利用側ファン（75）を用いることなく頭側の空気調和を行うことも可能となる。
【産業上の利用可能性】
【００７４】
以上説明したように、本発明は、就寝者の頭側及び脚側の空気調和を行う空調装置付きベッドにおいて、装置全体としてのコストダウンを図りつつ、就寝者の脚側の足熱状態を維持できるという実用性の高い効果が得られることから、きわめて有用で産業上の利用可能性は高い。
【図面の簡単な説明】
【００７５】
【図１】本実施形態に係る空調装置付きベッドを一部省略して示す斜視図である。
【図２】本実施形態に係る空調装置付きベッドのカーテンを閉めた状態を示す斜視図である。
【図３】ヘッドボードの構成を示す斜視図である。
【図４】フットボードの構成を示す斜視図である。
【図５】本実施形態に係る空調装置付きベッドのカーテンを閉めた状態を示す側面図である。
【図６】カーテン保持部の折り畳み構造を説明する側面図である。
【図７】頭側空調ユニット及びダクト部材の構成を示すものであり、（ａ）が前面視、（ｂ）が側面視の図である。
【図８】頭側空調ユニット及びダクト部材の構成を互いに分離した状態で示す斜視図である。
【図９】脚側空調ユニットの構成を示す斜視図である。
【図１０】脚側空調ユニットの構成を示す前面視の図である。
【図１１】空調装置付きベッドの変形例の構成を一部省略して示す斜視図である。
【図１２】空調装置付きベッドのカーテンを閉めた状態を示す変形例の側面図である。
【符号の説明】
【００７６】
1    空調装置付きベッド
10    ベッド本体
14    就寝空間
15    滞留空間
40    カーテン保持部
41    支柱（支持部）
42    天井枠（天蓋部）
44    位置ずれ防止手段
46    カーテン
50    フットボード（係止部）
56    カーテン保持棒（係止部）
80    脚側空調手段
【図１】
2008073413.tif 000003
【図２】
2008073413.tif 000004
【図３】
2008073413.tif 000005
【図４】
2008073413.tif 000006
【図５】
2008073413.tif 000007
【図６】
2008073413.tif 000008
【図７】
2008073413.tif 000009
【図８】
2008073413.tif 000010
【図９】
2008073413.tif 000011
【図１０】
2008073413.tif 000012
【図１１】
2008073413.tif 000013
【図１２】
2008073413.tif 000014